(57)【要約】      （修正有）【課題】フォークリフト等の運搬装置により金型等の重量物を運搬する際、運搬装置に取付ける金型等の重量物の倒れ及び落下を防止するための重量物の倒れ及び落下防止装置を提供する。【解決手段】重量物を運搬する運搬装置に取付けられる、チェーン取付け用スリット治具３を設ける。非積載時または積載時の余分なチェーンは運搬装置に常設されたチェーン収納ボックス７に収納することができる。チェーン４はスリット治具３の溝に嵌め込むのみで簡単に取付けができるが、チェーン４が抜ける恐れはない。しかし、取外しはチェーン４をスライドさせるのみで簡単に行うことができる。重量物の積載用に新たに積載面積を拡げることもなく、他との干渉を最小限に抑えることが可能であり、倒れや落下、接触等の恐れがなく安全である。【選択図】図５
0003191605.tif 000002
【実用新案登録請求の範囲】
【請求項１】
重量物を運搬する運搬装置に取付けられる、チェーン取付け用スリット治具を設けた重量物の倒れ及び落下防止装置。
【請求項２】
重量物を運搬する運搬装置において、非積載時または積載時の余分なチェーンは運搬装置に常設されたチェーン収納ボックスに収納することができる請求項１記載の重量物の倒れ及び落下防止装置。
【考案の詳細な説明】
【考案の詳細な説明】
【技術分野】
【０００１】  本考案は、フォークリフト等の運搬装置により金型等の重量物を運搬する際、運搬装置に取付ける金型等の重量物の倒れ及び落下を防止するための倒れ防止装置に関するものである。
【背景技術】
【０００２】  金型等の重量物を運搬する運搬装置としては従来、図１のようなフォークリフトが利用されている。
また、このフォークリフトの爪に積載し運搬する際は、別途保管してあるチェーンやベルトを金型などの積載物に巻き付け、固定していた。【０００３】  従来方法における作業上の問題として、運搬時の振動等によりチェーンやベルトの固定位置がずれて金型等の重量物が倒れたり、落下したりする恐れがあった。また、チェーンやベルトは運搬装置とは別の場所に保管してあるため固定用のチェーン等は都度持って来る必要があった。チェーンの長さ調整もチェーンの輪にフックをかけるなどの方法であり外れやすく、正確に決まらないので緩む恐れがあった。また、長さ調整で余ったチェーンを運搬装置から垂下らないように収納する場所がないため、余ったチェーンが垂下り運搬装置からはみ出しタイヤに巻き込んでしまう恐れがあったので、チェーンが垂下らないように固定する手間もかかっていた。【０００４】  前記問題を解決するために、金型等の重量物をフォークリフト等で作業台に運搬する際に金型積載用鉄板の面積が、金型の約２〜４倍と広くすることで金型等の重量物が落下することを防止出来る安全装置が発明されている。（実用新案文献１）【０００５】  しかしながら前記発明は、金型の積載用に新たに積載面積を拡げるため、金型積載用鉄板の面積が金型などの積載物に対して約２〜４倍と大きくなり、運搬中に周囲と干渉する危険性が増大する恐れがあった。
【先行技術文献】
【０００６】
【実用新案文献１】
実開平５−８６９９０号公報
【考案の概要】
【考案が解決しようとする課題】
【０００７】  本発明が解決しようとする課題は、運搬時の振動等によりチェーンやベルトの固定位置がずれて金型等の重量物が倒れたり、落下したりする恐れがある。また、チェーンやベルトは運搬装置とは別の場所に保管してあるため固定用のチェーン等は都度持って来る必要があり、チェーンの長さ調整もチェーンの輪にフックをかけるなどの方法であり外れやすく、正確に決まらないので緩む恐れがある。また、長さ調整で余ったチェーンを運搬装置から垂下らないように収納する場所がないため、余ったチェーンが垂下り運搬装置からはみ出しタイヤに巻き込んでしまう恐れがあるので、チェーンが垂下らないように固定する手間もかかる。
【課題を解決するための手段】
【０００８】  本考案では、弛みを防止できるようチェーンの輪を固定するスリットを有した重量物倒れ防止用チェーン取付け用スリット治具を備え、重量物の非積載時または積載時の余分なチェーンは治具取付け位置付近、フォークリフトで言えばバックレスト部付近に常設するチェーン収納ボックスに収納することができ、運搬装置への治具の取付け位置を変えた複数の治具を設置することによって積載物の大小関わらず固定することができることで上記課題を解決した。
【考案の効果】
【０００９】  本考案の運搬装置では、以下の効果が得られる。
重量物の倒れ及び落下防止のためのチェーン取付け用スリットを設けた治具は、使用時に固定用チェーンの長さ調整が容易にでき、運搬中の振動等により積載物の倒れ及び落下する危険性を回避することが出来る。また、チェーンの着脱も容易にできるため手間は少なく時間も取られない。
スリットにチェーンの輪を厚さ方向にして挿入し、上下のチェーンの輪の横幅をひっかけることでチェーンの長さは自由に調整でき、チェーンの弛みを最小限にすることができるため遊びを少なくできる。
また、簡単にチェーンの取付け、取外しができる。
運搬装置へ治具を複数箇所取付けることで、大きい積載物の時は上方のスリット治具を、小さい積載物の時は下方のスリット治具を使用することで積載物の大小関わらず固定することができ、どんな積載物にも対応できる。
更に余分なチェーン及び非積載時のチェーンは運搬装置に常設の収納ボックスに収納することにより、都度持って来たり、チェーンが地面に垂下る心配がない。
【図面の簡単な説明】
【００１０】
【図１】従来金型の運搬用として用いられていたフォークリフトの側面を示した側面図である。
【図２】本考案スリット治具の上面を示した平面図である。
【図３】本考案スリット治具のα−α’断面図である。
【図４】一般的なチェーンの形状を示した説明図である。
【図５】本考案スリット治具及びチェーン収納ボックスを取付け、積載物をチェーンで固定した場合のフォークリフトの側面を示した側面図である。
【図６】本考案スリット治具を取付け、積載物をチェーンで固定した場合のフォークリフトの正面を示した正面図である。
【図７】本考案スリット治具を取付け、積載物をチェーンで固定した場合のフォークリフトの上面を示した上面図である。
【考案を実施するための形態】
【００１１】  図２は、実施例記載のスリット治具の平面図、図３は正面図である。また、図中に示すａはスリット幅、ｂはスリット長さ、ｃはスリット部の鉄板厚さの寸法をそれぞれ示すものである。この寸法は、チェーンのサイズにより自由に設定できる。また、図４中に示すＡはチェーンの輪の厚み、Ｂは同じ面方向のチェーンの輪と輪の間隔、Ｃはチェーンの輪の横幅を示す。
【実施例】
【００１２】  鉄板により作製された本考案のスリット治具３は、チェーンの大きさにより寸法を変更することが可能である。本考案のスリット治具３の作製方法は、鉄板にチェーンの厚みＡより大きく、チェーンの輪の横幅Ｃより小さい幅のスリットを設けるのみである。
この際のスリット幅ａはＡ＜ａ＜Ｃに設定する。また、スリット治具３にチェーンが安定に入るようＣ＜ｂに設定し、好ましくは完全安定にチェーンが入り、固定できるように２Ｃ＜ｂに設定する。なお、スリット治具３の厚さはチェーンが入るようｃ＜Ｂに設定する。その際、チェーンの弛みは、Ｂ−ｃの長さのみとなり、遊びが少なく且つ、適切な長さに調整ができる。
一例としてチェーンの寸法がＡ＝８．０ｍｍ，Ｂ＝１１．０ｍｍ，Ｃ＝２８．０ｍｍであれば、本考案のスリット治具３はａ＝９．５ｍｍ，ｂ＝５６ｍｍ，ｃ＝８．０ｍｍのような寸法を取ることができる。また、作製したスリット治具３の取付け位置は図１に示すバックレスト１など、どこに設置してもよい。スリット治具３は左右にそれぞれ上下二段ずつに取付ければ背の高い積載物なら上のスリット治具３に取付け、背の低い積載物なら下のスリット治具３に取付け固定することができる。なお、スリット治具３の取付け位置は上下二段とは限らない。【００１３】  重量物を運搬する運搬装置において、非積載時または積載時の余分なチェーンは常設のチェーン収納ボックスに収納することができる。これにより、積載時に都度チェーンを持ってくる手間はなくなり、チェーンが地面に垂下り運搬装置が走行中にタイヤにチェーンを巻き込む心配もなくなる。【００１４】  ここで、運搬装置をフォークリフト、重量物を金型とした場合のチェーン収納ボックスの取付け位置例を図５、スリット治具の取付け位置を図５及び図７、また、チェーンでの固定例を図７に示す。フォークリフトへのスリット治具の取付けはバックレスト部などにアーク溶接などで複数箇所設置してもよい。スリット治具へ嵌め込んだチェーンは図７の矢印方向へ力が加わるため万が一金型が倒れようとしてもスリット治具にチェーンが抜けない方向に力がかかるためチェーンが抜けることはない。しかし、チェーンを取外す際は図７のスリット溝からチェーンを引き出す方向へスライドさせることにより簡便に取外しを行うことができる。【００１５】  本考案のスリット治具３及びスリングチェーン４を用いた運搬装置への重量物の取付け手順の一例を示す。
まず、スリングチェーン４をチェーン収納ボックス７から取出し、重量物正面中央にて左右のスリングフック５を繋げる。スリングチェーン４を一方のスリット治具３の溝に沿って差込み固定する。次にチェーンを引っ張りながらもう一方のスリット治具３の溝に沿って差込み固定する。余分なチェーンはチェーン収納ボックス７に収納する。
【産業上の利用可能性】
【００１６】  簡容且つ簡便に作製が可能なスリット治具でもってチェーンを取付けることにより、金型等の重量物の運搬時に、倒れ及び落下の危険性を回避することができる。また、チェーンはスリット治具の溝に嵌め込むのみで簡単に取付けができるが、チェーンが抜ける恐れはない。しかし、取外しはチェーンをスライドさせるのみで簡単に行うことができる。重量物の積載用に新たに積載面積を拡げることもなく、他との干渉を最小限に抑えることが可能であり、倒れや落下、接触等の恐れがなく安全である。
【符号の説明】
【００１７】  １    バックレスト
２    ツメ
３    スリット治具
４    スリングチェーン
５    スリングフック
６    積載物
７    チェーン収納ボックス
ａ    スリット幅
ｂ    スリット長さ
ｃ    スリット部の鉄板厚さ
Ａ    チェーンの輪の厚さ
Ｂ    同じ面方向のチェーンの輪と輪の間隔
Ｃ    チェーンの輪の横幅
【図１】
0003191605.tif 000003
【図２】
0003191605.tif 000004
【図３】
0003191605.tif 000005
【図４】
0003191605.tif 000006
【図５】
0003191605.tif 000007
【図６】
0003191605.tif 000008
【図７】
0003191605.tif 000009